(57)【要約】【課題】パッドを人体の対象部位に正確に貼り付けることができるベルトを提供する。【解決手段】ベルト１０は、粘着性を有するパッド５０が設けられるパッド用ベルト２０と、パッド用ベルト２０とは独立して人体に巻き付け可能な位置決め用ベルト３０と、パッド用ベルト２０と位置決め用ベルト３０とを連結する連結部４０とを備える。【選択図】図２
2019083855.tif 000002
【特許請求の範囲】
【請求項１】
粘着性を有するパッドが設けられるパッド用ベルトと、
前記パッド用ベルトとは独立して人体に巻き付け可能な位置決め用ベルトと、
前記パッド用ベルトと前記位置決め用ベルトとを連結する連結部とを備える
ベルト。
【請求項２】
前記位置決め用ベルトは人体に臨む内側面を含み、
前記内側面の粘着性は前記パッドの粘着性よりも低い、または、前記内側面は粘着性を有さない、
請求項１に記載のベルト。
【請求項３】
前記パッド用ベルトは複数の前記パッドを含み、
前記複数のパッドは、前記パッド用ベルトが人体に巻き付けられた状態において人体の正中線に対して対称に配置されるように前記パッド用ベルトに設けられたパッドの組を含む
請求項１または２に記載のベルト。
【請求項４】
前記連結部は、前記パッド用ベルトにおける長手方向の中心と、前記位置決め用ベルトにおける長手方向の中心と、が揃うように前記パッド用ベルトと前記位置決め用ベルトとを連結する
請求項１〜３のいずれか一項に記載のベルト。
【請求項５】
前記連結部は、前記パッド用ベルトにおける長手方向の中心、および前記位置決め用ベルトにおける長手方向の中心に対してオフセットした部位において前記パッド用ベルトと前記位置決め用ベルトとを連結する
請求項１〜３のいずれか一項に記載のベルト。
【請求項６】
前記連結部は、前記パッド用ベルトと前記位置決め用ベルトとが連結した連結状態と、前記パッド用ベルトと前記位置決め用ベルトとが分離した分離状態とを選択できるように構成されている
請求項１〜５のいずれか一項に記載のベルト。
【請求項７】
前記連結部は、前記パッド用ベルトおよび前記位置決め用ベルトの短手方向における前記パッド用ベルトと前記位置決め用ベルトとの距離を調節できるように構成されている
請求項１〜６のいずれか一項に記載のベルト。
【請求項８】
前記位置決め用ベルトは、前記パッド用ベルトが人体に巻き付けられた状態において人体の正中線に対して対称に配置されるように設けられた目印の組を含む
請求項１〜７のいずれか一項に記載のベルト。
【発明の詳細な説明】
【技術分野】
【０００１】
本発明は人体に電流を流すためのパッドが取り付けられるベルトに関する。
【背景技術】
【０００２】
人体に電流を流すために人体に貼り付けられるパッドを備えた電気刺激装置が知られている。電気刺激装置の一例では、ベルトにパッドが取り付けられる。電気刺激装置を使用する場合、パッドが人体の対象部位に接触するようにベルトが人体に巻き付けられる。なお、特許文献１は従来の電気刺激装置の一例を開示している。
【先行技術文献】
【特許文献】
【０００３】
【特許文献１】特表２０１２−５３１９９０号
【発明の概要】
【発明が解決しようとする課題】
【０００４】
ベルトが人体に巻き付けられた場合にパッドが人体の対象部位からずれることがある。人体の対象部位が腰または背中等のように視認しにくい部位である場合には、特にこのような問題が起こりやすい。また、人体への通電性および人体との接着性等を高めるためにパッドの表面に粘着性がある場合には、人体の対象部位からずれたパッドの位置を調整する作業が一層煩雑となる。
【０００５】
本発明の目的は、パッドを人体の対象部位に正確に貼り付けることができるベルトを提供することである。
【課題を解決するための手段】
【０００６】
本発明に関するベルトは、粘着性を有するパッドが設けられるパッド用ベルトと、前記パッド用ベルトとは独立して人体に巻き付け可能な位置決め用ベルトと、前記パッド用ベルトと前記位置決め用ベルトとを連結する連結部とを備える。
【発明の効果】
【０００７】
本発明に関するベルトによれば、パッドを人体の対象部位に正確に貼り付けることができる。
【図面の簡単な説明】
【０００８】
【図１】第１実施形態のベルトの正面図。
【図２】図１のベルトの背面図。
【図３】位置決め用ベルトが巻き付けられた腹部を示す図。
【図４】パッド用ベルトが巻き付けられた腹部を示す図。
【図５】パッド用ベルトが巻き付けられた腰部を示す図。
【図６】位置決め用ベルトが巻き付けられた腹部を示す図。
【図７】パッドユニットが取り付けられる状態を示す図。
【図８】第２実施形態のベルトの背面図。
【図９】位置決め用ベルトが巻き付けられた腹部を示す図。
【図１０】パッド用ベルトが巻き付けられた腹部を示す図。
【図１１】パッド用ベルトが巻き付けられた腰部を示す図。
【図１２】電気刺激装置の第１変形例を示す図。
【図１３】電気刺激装置の第２変形例を示す図。
【図１４】電気刺激装置の第３変形例を示す図。
【図１５】連結部の変形例を示す図。
【図１６】巻付用目印の変形例を示す図。
【発明を実施するための形態】
【０００９】
（ベルトが取り得る形態の一例）
〔１〕本発明に関するベルトは、粘着性を有するパッドが設けられるパッド用ベルトと、前記パッド用ベルトとは独立して人体に巻き付け可能な位置決め用ベルトと、前記パッド用ベルトと前記位置決め用ベルトとを連結する連結部とを備える。このベルトによれば、位置決め用ベルトおよびパッド用ベルトを個別に人体に巻くことができる。好ましい例では、位置決め用ベルトがパッド用ベルトよりも先に人体に巻き付けられる。位置決め用ベルトにはパッドが設けられないため、人体に対する位置決め用ベルトの位置を調節する作業を容易に実施できる。パッド用ベルトと位置決め用ベルトとが連結部により連結されるため、パッド用ベルトと位置決め用ベルトとの相対的な位置関係が決められる。このため、位置決め用ベルトが人体に対して適切な位置に巻かれた状態において、パッド用ベルトが人体に巻き付けられた場合、パッド用ベルトの位置の調整が行われなくてもパッド用ベルトが人体に対して適切な位置に巻き付けられた状態が形成される。これにともないパッドが人体の対象部位に適切に接触するため、位置の調整のためにパッドを人体から剥がす必要がない。このように、上記ベルトによればパッドを対象部位に正確に貼り付けることができる。
【００１０】
〔２〕前記ベルトの一例では、前記位置決め用ベルトは人体に臨む内側面を含み、前記内側面の粘着性は前記パッドの粘着性よりも低い、または、前記内側面は粘着性を有さない。このため、人体に対する位置決め用ベルトの位置の調整を容易に実施できる。
【００１１】
〔３〕前記ベルトの一例では、前記パッド用ベルトは複数の前記パッドを含み、前記複数のパッドは、前記パッド用ベルトが人体に巻き付けられた状態において、人体の正中線に対して対称に配置されるように前記パッド用ベルトに設けられたパッドの組を含む。このため、右半身および左半身にバランスよく電流が流れる。
【００１２】
〔４〕前記ベルトの一例では、前記連結部は、前記パッド用ベルトにおける長手方向の中心と前記位置決め用ベルトにおける長手方向の中心とが揃うように前記パッド用ベルトと前記位置決め用ベルトとを連結する。このため、パッド用ベルトと位置決め用ベルトとの位置関係を容易に認識できる。
【００１３】
〔５〕前記ベルトの一例では、前記連結部は、前記パッド用ベルトにおける長手方向の中心および前記位置決め用ベルトにおける長手方向の中心に対してオフセットした部位において前記パッド用ベルトと前記位置決め用ベルトとを連結する。このベルトによれば、位置決め用ベルトの長手方向の中心が人体の正中線に対応するように位置決め用ベルトが人体に巻き付けられた状態では、パッド用ベルトの位置が右半身側または左半身側に偏る。このため、位置決め用ベルトが人体に巻き付けられた状態においてパッド用ベルトの視認性が高くなり、パッド用ベルトを人体に巻き付ける作業を容易に実施できる。
【００１４】
〔６〕前記ベルトの一例では、前記連結部は、前記パッド用ベルトと前記位置決め用ベルトとが連結した連結状態と、前記パッド用ベルトと前記位置決め用ベルトとが分離した分離状態とを選択できるように構成されている。このため、例えばパッド用ベルトのパッドから人体に電流を流す場合に位置決め用ベルトを人体から取り外すことにより、ベルトによる締め付け感が弱い状態でパッド用ベルトを使用できる。
【００１５】
〔７〕前記ベルトの一例によれば、前記連結部は、前記パッド用ベルトおよび前記位置決め用ベルトの短手方向における前記パッド用ベルトと前記位置決め用ベルトとの距離を調節できるように構成されている。このため、ユーザの体型に応じて位置決め用ベルトとパッド用ベルトの位置関係を調節することができる。
【００１６】
〔８〕前記ベルトの一例によれば、前記位置決め用ベルトは、前記パッド用ベルトが人体に巻き付けられた状態において人体の正中線に対して対称に配置されるように設けられた目印の組を含む。このため、位置決め用ベルトにおける目印の組の中間の部位が人体の正中線に合うように位置決め用ベルトを巻き付けることができる。
【００１７】
(第１実施形態)
図１を参照して、ベルト１０を備える電気刺激装置１の構成について説明する。電気刺激装置１は人体１００(図３参照)の対象部位に電気刺激を与えることにより、対象部位に所定の効果を与える。所定の効果は例えばマッサージまたは筋肉の鍛錬である。図示される電気刺激装置１は人体１００の対象部位の一例である中腹部１１０および腰部１２０(図３参照)に電気刺激を与えることに適した構造を備えている。
【００１８】
電気刺激装置１を構成する主な要素は、ベルト１０、１または複数のパッド５０、コントローラ６０、および、電源ユニット７０である。ベルト１０を構成する主な要素は、パッド用ベルト２０、位置決め用ベルト３０、および、連結部４０である。パッド用ベルト２０は１または複数のパッド５０を保持できるように構成されている。図示される例では、パッド用ベルト２０は複数のパッド５０を保持する。複数のパッド５０はベルト１０が人体１００に巻き付けられた場合に人体１００の対象部位に接触する。パッド５０の表面には、表面が人体１００の対象部位にしっかり貼り付くように粘着性が与えられている。このような特性を持つ材料の一例は、ジェルである。複数のパッド５０に含まれる各パッド５０の構成等は電気刺激装置１の用途に応じて決められる。一例では、複数のパッド５０は複数の背面パッド５１および複数の正面パッド５２を含む。背面パッド５１は腰部１２０(図５参照)に電気刺激を与えることに適している。正面パッド５２は中腹部１１０(図４参照)に電気刺激を与えることに適している。
【００１９】
電源ユニット７０は位置決め用ベルト３０に取り付けられている。電源ユニット７０内には１次電池または２次電池が内蔵されている。電源ユニット７０と各パッド５０およびコントローラ６０のそれぞれとは、電線７１により電気的に接続されている。コントローラ６０が操作されることによりパッド５０から人体１００の対象部位に電流が流れる。複数のパッド５０のうちの電流を出力するパッド、および、出力される電流の大きさ等は、コントローラ６０の操作に応じて決められる。パッド５０から対象部位に電流が流れることにより対象部位に電気刺激が与えられ、対象部位がマッサージまたは鍛錬される。
【００２０】
位置決め用ベルト３０はパッド用ベルト２０が人体１００に巻き付けられた状態において各パッド５０が人体１００の対象部位に適切に接触するよう、人体１００とパッド用ベルト２０との位置関係を決めるために用いられる。連結部４０はパッド用ベルト２０と位置決め用ベルト３０とを連結する。一例では、連結部４０はパッド用ベルト２０と位置決め用ベルト３０とが連結された状態、および、パッド用ベルト２０と位置決め用ベルト３０とが分離した状態を選択できるように構成されている。
【００２１】
パッド用ベルト２０および位置決め用ベルト３０は、独立して人体１００に巻き付けることができる。独立して人体１００に巻き付けることができるとは、各ベルト２０、３０の一方を他方よりも先に人体１００に巻き付けることができるということである。これは、各ベルト２０、３０が連結部４０により連結されている場合、および、連結されていない場合のいずれにも共通する。以下では、パッド用ベルト２０が人体１００に巻き付けられた場合に人体１００に臨むパッド用ベルト２０の面を内側面２０Ａと称し、その反対側の面を外側面２０Ｂと称する。同様に、位置決め用ベルト３０が人体１００に巻き付けられた場合に人体１００に臨む位置決め用ベルト３０の面を内側面３０Ａと称し、その反対側の面を外側面３０Ｂと称する。
【００２２】
図１および図２を参照して、パッド用ベルト２０の詳細な構成について説明する。パッド用ベルト２０の全体の形状はパッド用ベルト２０の長手方向の中心軸である第１中心軸Ｃ１に対して対称である。パッド用ベルト２０はパッド用ベルト２０が人体１００に巻き付けられた状態を保持するための結合部２４を備えている。結合部２４は、パッド用ベルト２０が人体１００に巻き付けられた状態において、パッド用ベルト２０の長手方向の一方の端部である第１端部２１と他方の端部である第２端部２２とを結合する。一例では、結合部２４は面ファスナである。結合部２４を構成する面ファスナのループ２４Ａは第１端部２１の外側面２０Ｂに設けられている。結合部２４を構成する面ファスナのフック２４Ｂは第２端部２２の内側面２０Ａに設けられている。結合部２４は、パッド用ベルト２０が人体１００に巻き付けられた場合にパッド用ベルト２０が人体１００に加える締め付ける力を調節できるように構成されている。
【００２３】
図２に示されるように、パッド用ベルト２０は複数のパッド保持部２５をさらに備えている。複数のパッド保持部２５はパッド用ベルト２０の内側面２０Ａに取り付けられている。図示される例では、３つのパッド保持部２５が内側面２０Ａに取り付けられている。３つのパッド保持部２５のうちの１つである第１パッド保持部２５Ａは、パッド用ベルト２０のうちの第１中心軸Ｃ１付近の部分である中間部２３に設けられている。３つのパッド保持部２５のうち他の２つである第２パッド保持部２５Ｂは、第１パッド保持部２５Ａを挟むように第１中心軸Ｃ１に対して対称に設けられている。各パッド保持部２５Ａ、２５Ｂはパッド用ベルト２０に対して着脱できる。他の例では、各パッド保持部２５Ａ、２５Ｂの少なくとも１つがパッド用ベルト２０と一体化している。
【００２４】
第１パッド保持部２５Ａは複数の背面パッド５１を保持できるように構成されている。第１パッド保持部２５Ａの内部にはコネクタ(図示略)を介して電線７１に接続される電線(図示略)が設けられている。第１パッド保持部２５Ａがパッド用ベルト２０に取り付けられることにより第１パッド保持部２５Ａの電線が電線７１と接続される。複数の背面パッド５１は第１パッド保持部２５Ａに対して着脱できる。背面パッド５１は第１パッド保持部２５Ａに取り付けられることにより第１パッド保持部２５Ａと電気的に接続される。第１パッド保持部２５Ａおよび複数の背面パッド５１は互いに結合された状態でパッド用ベルト２０に対して着脱できる。以下では、結合された第１パッド保持部２５Ａおよび複数の背面パッド５１のセットを第１パッドユニット１３と称する。
【００２５】
第２パッド保持部２５Ｂは複数の正面パッド５２を保持できるように構成されている。第２パッド保持部２５Ｂの内部にはコネクタ(図示略)を介して電線７１に接続される電線(図示略)が設けられている。第２パッド保持部２５Ｂがパッド用ベルト２０に取り付けられることにより第２パッド保持部２５Ｂの電線が電線７１と接続される。複数の正面パッド５２は第２パッド保持部２５Ｂに対して着脱できる。正面パッド５２は第２パッド保持部２５Ｂに取り付けられることにより第２パッド保持部２５Ｂと電気的に接続される。第２パッド保持部２５Ｂおよび複数の正面パッド５２は互いに結合された状態でパッド用ベルト２０に対して着脱できる。以下では、結合された第２パッド保持部２５Ｂおよび複数の正面パッド５２のセットを第２パッドユニット１４と称する。
【００２６】
パッド用ベルト２０の好ましい使用形態では、図４および図５に示されるように、第１中心軸Ｃ１が人体１００の正中線１０１と対応するようにパッド用ベルト２０が人体１００に巻き付けられる。以下では、このようなパッド用ベルト２０の巻き付け状態を基準装着状態と称する。図５に示されるように、第１パッド保持部２５Ａは基準装着状態において腰部１２０の中間部を臨むようにパッド用ベルト２０に設けられている。図４に示されるように、各第２パッド保持部２５Ｂはそれぞれ右側の前腹部１１１および左側の前腹部１１１を臨むようにパッド用ベルト２０に設けられている。
【００２７】
パッド用ベルト２０はさらにパッド用目印２６を備えている。パッド用目印２６はパッド用ベルト２０に対する第２パッドユニット１４を調節するための目印である。一例では、１つの第２パッドユニット１４に対して２種類の位置を示すパッド用目印２６がパッド用ベルト２０の内側面２０Ａに設けられている。パッド用目印２６は内側面２０Ａにおける他の部分とは色および形状等が異なることにより、ユーザが目印であることを容易に識別できるように構成されている。一例では、パッド用目印２６は内側面２０Ａにおける他の部分とは異なる色で印刷されたラインである。
【００２８】
図１および図２を参照して、位置決め用ベルト３０の詳細な構成について説明する。位置決め用ベルト３０の全体の形状は位置決め用ベルト３０の長手方向の中心軸である第２中心軸Ｃ２に対して対称である。位置決め用ベルト３０の内側面３０Ａには粘着性が与えられない、または、パッド５０の表面よりも低い粘着性が与えられる。このため、位置決め用ベルト３０が人体に当てられた状態、または、巻きつけられた状態において、人体１００まわりにおける位置決め用ベルト３０の位置を容易に変更できる。
【００２９】
位置決め用ベルト３０は位置決め用ベルト３０が人体１００に巻き付けられた状態を保持するための結合部３３を備えている。結合部３３は、位置決め用ベルト３０が人体１００に巻き付けられた状態において、位置決め用ベルト３０の長手方向の一方の端部である第１端部３１と他方の端部である第２端部３２とを結合する。一例では、結合部３３は面ファスナである。結合部３３を構成する面ファスナのループ３３Ａは第１端部３１の外側面３０Ｂに設けられている。結合部３３を構成する面ファスナのフック３３Ｂは第２端部３２の内側面３０Ａに設けられている。結合部３３は、位置決め用ベルト３０が人体１００に巻き付けられた場合に位置決め用ベルト３０が人体１００に加える締め付ける力を調節できるように構成されている。
【００３０】
位置決め用ベルト３０はさらに巻付用目印３４を備えている。巻付用目印３４は位置決め用ベルト３０を人体１００に巻き付ける場合に位置決め用ベルト３０の第２中心軸Ｃ２を人体１００の正中線１０１(図３参照)に合わせるための目印である。巻付用目印３４は位置決め用ベルト３０の内側面３０Ａおよび外側面３０Ｂの少なくとも一方に設けられる。図示される例では、内側面３０Ａおよび外側面３０Ｂの両方に巻付用目印３４が設けられている。巻付用目印３４は内側面３０Ａおよび外側面３０Ｂにおける他の部分とは色および形状等が異なることにより、ユーザが目印であることを容易に識別できるように構成されている。一例では、巻付用目印３４は内側面３０Ａおよび外側面３０Ｂにおける他の部分とは異なる色で印刷されたラインである。
【００３１】
図１および図２に示されるように、連結部４０は、第１連結部４１、第２連結部４２、および、結合部４３により構成されている。第１連結部４１はパッド用ベルト２０から突出するように構成されたタブである。第１連結部４１はパッド用ベルト２０と一体化している。第２連結部４２は位置決め用ベルト３０から突出するように構成されたタブである。第２連結部４２は位置決め用ベルト３０と一体化している。結合部４３は第１連結部４１と第２連結部４２とを結合する。一例では、結合部４３は面ファスナである。結合部４３を構成する面ファスナのループ４３Ａは第１連結部４１に設けられている。結合部４３を構成する面ファスナのフック４３Ｂは第２連結部４２に設けられている。以下では、一体化されたパッド用ベルト２０および第１連結部４１を第１要素１１と称する。また、一体化された位置決め用ベルト３０および第２連結部４２を第２要素１２と称する。
【００３２】
第１要素１１の外郭形状は複数の辺１１Ａ〜１１Ｅにより規定される。複数の辺１１Ａ〜１１Ｅは、一対の第１長手辺１１Ａ、一対の第２長手辺１１Ｂ、一対の第１短手辺１１Ｃ、一対の第１タブ辺１１Ｄ、および、一対の第２タブ辺１１Ｅを含む。一対の第１長手辺１１Ａ、一対の第２長手辺１１Ｂ、および、一対の第１短手辺１１Ｃはパッド用ベルト２０の縁に相当する部分である。一対の第１タブ辺１１Ｄおよび一対の第２タブ辺１１Ｅは第１連結部４１の縁に相当する部分である。一対の各辺１１Ａ〜１１Ｅにおける一方の辺と他方の辺とは第１中心軸Ｃ１に対して線対称である。一対の第１長手辺１１Ａは第１中心軸Ｃ１上に山部Ｐ１が形成されるようにパッド用ベルト２０の長手方向に対して傾斜している。山部Ｐ１はパッド用ベルト２０の短手方向において第１連結部４１側とは反対側に突出している。第２長手辺１１Ｂはパッド用ベルト２０の短手方向において第１長手辺１１Ａとは反対側に位置する。第１短手辺１１Ｃは第１長手辺１１Ａおよび第２長手辺１１Ｂのそれぞれと繋がっている。第１タブ辺１１Ｄは第２長手辺１１Ｂと繋がり、パッド用ベルト２０の短手方向において第２長手辺１１Ｂから突出している。第２タブ辺１１Ｅは第１タブ辺１１Ｄと繋がっている。一対の第２タブ辺１１Ｅは円弧形状の辺を形成している。
【００３３】
第２要素１２の外郭形状は複数の辺１２Ａ〜１２Ｅにより規定される。複数の辺１２Ａ〜１２Ｅは、一対の第１長手辺１２Ａ、一対の第２長手辺１２Ｂ、一対の第１短手辺１２Ｃ、一対の第１タブ辺１２Ｄ、および、一対の第２タブ辺１２Ｅを含む。一対の第１長手辺１２Ａ、一対の第２長手辺１２Ｂ、および、一対の第１短手辺１２Ｃは位置決め用ベルト３０の縁に相当する部分である。一対の第１タブ辺１２Ｄおよび一対の第２タブ辺１２Ｅは第２連結部４２の縁に相当する部分である。一対の各辺１２Ａ〜１２Ｅにおける一方の辺と他方の辺とは第１中心軸Ｃ１に対して線対称である。一対の第１長手辺１２Ａは第２中心軸Ｃ２上に谷部Ｐ２が形成されるように位置決め用ベルト３０の長手方向に対して傾斜している。谷部Ｐ２は位置決め用ベルト３０の短手方向において第２連結部４２側と同一方向に突出している。第２長手辺１２Ｂは位置決め用ベルト３０の短手方向において第１長手辺１２Ａとは反対側に位置する。第１短手辺１２Ｃは第１長手辺１２Ａおよび第２長手辺１２Ｂのそれぞれと繋がっている。第１タブ辺１２Ｄは第２長手辺１２Ｂと繋がり、位置決め用ベルト３０の短手方向において第２長手辺１２Ｂから突出している。第２タブ辺１２Ｅは第１タブ辺１２Ｄと繋がっている。一対の第２タブ辺１２Ｅは円弧形状の辺を形成している。
【００３４】
連結部４０はパッド用ベルト２０の第１中心軸Ｃ１と位置決め用ベルト３０の第２中心軸Ｃ２とが同軸上に位置するようにパッド用ベルト２０と位置決め用ベルト３０とを連結できる。パッド用ベルト２０の山部Ｐ１および位置決め用ベルト３０の谷部Ｐ２は、第１中心軸Ｃ１と第２中心軸Ｃ２との位置を合わせるための目印として利用できる。図示される例では、各ベルト２０、３０がそれぞれ中心軸Ｃ１、Ｃ２に対して線対称の形状を有している。このため、山部Ｐ１および谷部Ｐ２に代えて目視により推定できる各ベルト２０、３０の長手方向の中心を、第１中心軸Ｃ１と第２中心軸Ｃ２との位置を合わせるための目印として利用できる。
【００３５】
人体１００にベルト１０を巻き付ける方法は一例では第１巻付方法および第２巻付方法に分類される。第１巻付方法は位置決め用ベルト３０が人体１００に巻き付ける段階で位置決め用ベルト３０の中心軸Ｃ２を人体１００の正中線１０１に合わせる方法である。第２巻付方法は位置決め用ベルト３０が人体１００に巻き付けられた状態で位置決め用ベルト３０の中心軸Ｃ２を人体１００の正中線１０１に合わせる方法である。
【００３６】
図３〜図５を参照して、第１巻付方法の詳細について説明する。最初に、連結部４０が人体１００の背面側に位置し、かつ、右側の巻付用目印３４と左側の巻付用目印３４との中心に人体１００の臍が位置するように位置決め用ベルト３０が人体１００の中腹部１１０および腰部１２０まわりに当てられる。この状態では、連結部４０により位置決め用ベルト３０と連結されたパッド用ベルト２０が人体１００の背面側で位置決め用ベルト３０から垂れ下がる。また、位置決め用ベルト３０の中心軸Ｃ２が人体１００の正中線１０１に合わせられ、それにともないパッド用ベルト２０の中心軸Ｃ１も人体１００の正中線１０１に合わせられる。次に、位置決め用ベルト３０のループ３３Ａとフック３３Ｂとが結合され、図３に示されるように位置決め用ベルト３０が人体１００に巻き付けられる。次に、複数の背面パッド５１が腰部１２０に接触するようにパッド用ベルト２０が持ち上げられる。次に、パッド用ベルト２０のループ２４Ａとフック２４Ｂとが結合され、図４に示されるようにパッド用ベルト２０が人体１００に巻き付けられる。
【００３７】
図４はベルト１０が巻き付けられた人体１００の正面を示す。各正面パッド５２は中腹部１１０の側部の表面に接触する。中腹部１１０の側部を構成する筋肉の一例は腹斜筋である。パッド用ベルト２０の中心軸Ｃ１に対する一方の側に設けられた正面パッド５２と他方の側に設けられた正面パッド５２とは、人体１００の正中線１０１に対して対称に配置される。このため、各正面パッド５２が人体１００に電流を出力する場合、中腹部１１０の右側部および左側部のそれぞれに対してバランスよく電流が流れる。
【００３８】
図５はベルト１０が巻き付けられた人体１００の背面を示す。各背面パッド５１は腰部１２０の中間部の表面に接触する。腰部１２０の中間部を構成する筋肉の一例は脊柱起立筋である。パッド用ベルト２０の中心軸Ｃ１に対する一方の側に設けられた背面パッド５１と他方の側に設けられた背面パッド５１とは、人体１００の正中線１０１に対して対称に配置される。このため、各背面パッド５１が人体１００に電流を出力する場合、腰部１２０の中間部における右側の部分および左側の部分のそれぞれに対してバランスよく電流が流れる。
【００３９】
図３および図６を参照して、第２巻付方法の詳細について説明する。最初に、連結部４０が人体１００まわりの任意の箇所に位置するように位置決め用ベルト３０が人体１００の中腹部１１０および腰部１２０まわりに当てられる。この状態では、図６に示されるように連結部４０により位置決め用ベルト３０と連結されたパッド用ベルト２０が人体１００まわりの任意の箇所で位置決め用ベルト３０から垂れ下がる。次に、連結部４０が人体１００の背面側に位置し、かつ、巻付用目印３４と巻付用目印３４との中心に人体１００の臍が位置するように位置決め用ベルト３０が人体１００まわりで回転させられる。これにより、第１巻付方法と同様に、図３に示されるように位置決め用ベルト３０の中心軸Ｃ２およびパッド用ベルト２０の中心軸Ｃ１が人体１００の正中線１０１に合わせられた状態が形成される。以後は第１巻付方法と同様にパッド用ベルト２０が人体１００に巻き付けられる。
【００４０】
図７を参照して、パッド用ベルト２０に対するパッド５０の位置の調整方法について説明する。パッド用ベルト２０に対するパッド５０の位置はパッド用ベルト２０に対するパッド保持部２５の取付位置を変更することにより調節できる。この調節は位置決め用ベルト３０が人体１００に巻き付けられている状態、および、巻き付けられていない状態のいずれにおいても実施できる。位置決め用ベルト３０が人体１００に巻き付けられた状態(以下「調整状態」)では、対象部位に対するパッド用ベルト２０のおおよその位置を確認できるため、好ましいパッド保持部２５の位置を容易に認識できる。調整状態におけるパッド５０の位置調整は、選択可能なパッド５０の位置の段階が多い場合、および、パッド５０の位置を無段階で調節できる場合に特に適している。
【００４１】
調整状態におけるパッド５０の位置調節は例えば次のような順序で実施される。最初に、第２巻付方法に従って位置決め用ベルト３０が人体１００に巻き付けられ、調整状態が形成される。一例では、第２パッド保持部２５Ｂがパッド用ベルト２０から取り外されている。次に、連結部４０が人体１００の正面側に位置するように人体１００まわりにおける位置決め用ベルト３０の位置が調節される。次に、パッド用目印２６のうちの人体１００の対象部位に適した目印に第２パッド保持部２５Ｂが取り付けられる。その後は、第２巻付方法に従って、連結部４０が人体１００の背面側に位置し、かつ、巻付用目印３４と巻付用目印３４との中心に人体１００の臍が位置するように位置決め用ベルト３０が人体１００まわりで回転させられる。
【００４２】
パッド５０には、表面を保護する保護カバーが用意されている。この保護カバーは、電気刺激装置１の未使用時にパッド５０の表面に異物が付着しないようにパッド５０の表面に貼り付けられる。この保護カバーは、ベルト１０が人体１００に巻き付けられる前の段階、位置決め用ベルト３０が人体１００に巻き付けられた段階、および、パッド用ベルト２０が人体の巻き付けられた段階のいずれの段階においても任意にパッド５０から取り外すことができる。一例では、上記のように位置決め用ベルト３０の位置が調節された状態において、パッド５０から保護カバーが取り外される。この方法によれば、保護カバーが取り外されてからパッド５０が人体１００に貼り付けられるまでの期間が短くなる。このため、位置決め用ベルト３０を巻き付ける段階等においてパッド５０が対象部位以外の部分に接触するおそれ、および、パッド５０の表面に異物が付着するおそれが低減される。
【００４３】
ベルト１０の作用について説明する。好ましい使用形態では、位置決め用ベルト３０がパッド用ベルト２０よりも先に人体１００に巻き付けられる。位置決め用ベルト３０にはパッド５０が設けられないため、人体１００に対する位置決め用ベルト３０の位置を調節する作業を容易に実施できる。パッド用ベルト２０と位置決め用ベルト３０とが連結部４０により連結されるため、パッド用ベルト２０と位置決め用ベルト３０との相対的な位置関係が決められる。このため、位置決め用ベルト３０が人体１００の適切な位置に巻かれた状態においてパッド用ベルト２０が巻き付けられた場合、パッド用ベルト２０が人体１００に対して適切な位置に巻き付けられた状態が形成される。これにともないパッド５０が人体１００の対象部位に適切に接触するため、位置の調整のためにパッド５０を人体１００から剥がす必要がない。このように、ベルト１０によればパッド５０を対象部位に正確に貼り付けることができる。
【００４４】
（第２実施形態）
図８を参照して、第２実施形態のベルト１０について説明する。第１実施形態のベルト１０と第２実施形態のベルト１０との主な相違点は、パッド用ベルト２０および位置決め用ベルト３０に対する連結部４０の位置である。連結部４０は、パッド用ベルト２０の中心軸Ｃ１および位置決め用ベルト３０の中心軸Ｃ２に対して、ベルト１０の長手方向にオフセットした部位においてパッド用ベルト２０と位置決め用ベルト３０とを連結する。一例では、第１連結部４１はパッド用ベルト２０の長手方向における正面パッド５２と背面パッド５１との間に対応する部分に設けられている。第２連結部４２は位置決め用ベルト３０の第２中心軸Ｃ２と一方の巻付用目印３４との間に対応する部分に設けられている。
【００４５】
ベルト１０は第１実施形態の第１巻付方法または第２巻付方法に従って人体１００に巻き付けられる。図９は、右側の巻付用目印３４と左側の巻付用目印３４との中心に臍が位置するように位置決め用ベルト３０が人体１００の中腹部１１０および腰部１２０まわりに巻き付けられた状態を示す。この状態では、パッド用ベルト２０が人体１００の側部あたりで位置決め用ベルト３０から垂れ下がる。このため、パッド用ベルト２０の視認性が高くなり、パッド用ベルト２０を人体１００に巻き付ける作業を容易に実施できる。
【００４６】
図９に示されるように位置決め用ベルト３０が人体１００に巻き付けられた後、第１巻付方法に従ってパッド用ベルト２０が人体１００に巻き付けられる。図１０はパッド用ベルト２０が巻き付けられた状態の人体１００の正面を示す。図１１はパッド用ベルト２０が巻き付けられた状態の人体１００の背面を示す。図１０および図１１に示されるように、連結部４０が各ベルト２０、３０の中心軸Ｃ１、Ｃ２に対してオフセットした部位に設けられる場合にも、第１実施形態と同様にパッド５０が対象部位の表面に接触する。
【００４７】
（変形例）
上記各実施形態に例示されたベルトの構成は以下のように変更できる。各実施形態および以下の変更例は技術的に矛盾しない範囲で互いに組み合わせ可能である。
【００４８】
・パッド用ベルト２０の構成は任意に変更可能である。一例では、パッド用ベルト２０は面ファスナに代わる別の結合部２４を備える。別の結合部２４の一例はフックおよび紐である。
【００４９】
・位置決め用ベルト３０の構成は任意に変更可能である。一例では、位置決め用ベルト３０は面ファスナに代わる別の結合部３３を備える。別の結合部３３の一例はフックおよび紐である。
【００５０】
・連結部４０の構成は任意に変更可能である。第１例では、連結部４０はパッド用ベルト２０および位置決め用ベルト３０の両方から分離できるように構成される。第２例では、連結部４０は面ファスナに代わる別の結合部４３により各ベルト２０、３０を連結する。別の結合部４３の一例はフックおよび紐である。
【００５１】
・巻付用目印３４の構成は任意に変更可能である。一例では、巻付用目印３４は位置決め用ベルト３０に着脱できるように構成される。具体的には、この巻付用目印３４は位置決め用ベルト３０と結合する手段を備える。結合する手段の一例は面ファスナ、フック、および、紐である。
【００５２】
・電源ユニット７０等の電気的要素に関する構成は任意に変更可能である。図１２は第１実施形態のベルト１０における電気的要素の変形例を示す。図１３は第２実施形態のベルト１０における電気的要素の変形例を示す。これらの変形例では、電源ユニット７０はパッド用ベルト２０に設けられる。パッド５０と繋がる電線７１およびコントローラ６０と繋がる電線７１のそれぞれにコネクタ７２が設けられる。各電線７１のコネクタ７２が接続されることにより、コントローラ６０が電源ユニット７０に電気的に接続される。
【００５３】
・ベルト１０の構成は任意に変更可能である。図１４はベルト１０を構成する主要な要素が追加された変形例を示す。ベルト１０は１または複数のパッド８１を保持する第２のパッド用ベルト８０をさらに備える。第２のパッド用ベルト８０、パッド用ベルト２０、および、位置決め用ベルト３０は、独立して人体１００に巻き付けることができる。
【００５４】
第２のパッド用ベルト８０はパッド保持部８２をさらに備える。図示される例では、パッド保持部８２は複数のパッド８１を保持する。パッド８１およびパッド保持部８２の構成はパッド５０およびパッド保持部２５の構成と実質的に同じである。複数のパッド８１はベルト１０が人体１００に巻き付けられた場合に人体１００の対象部位の一例である臀部に接触する。パッド８１は臀部に電気刺激を与えることに適している。パッド８１から臀部に電流が流れることにより、臀部に電気刺激が与えられる。臀部が電気刺激を受けることにより、臀部をマッサージする効果、または、臀部を引き締める効果等が得られることが期待できる。
【００５５】
ベルト１０は第２の連結部９０をさらに備えている。第２の連結部９０は第２のパッド用ベルト８０と位置決め用ベルト３０とを連結する。一例では、第２の連結部９０は第２のパッド用ベルト８０と位置決め用ベルト３０とが連結された状態、および、第２のパッド用ベルト８０と位置決め用ベルト３０とが分離した状態を選択できるように構成されている。第２の連結部９０の詳細な構成は連結部４０の構成と実質的に同じである。
【００５６】
第２の連結部９０は第２のパッド用ベルト８０の長手方向の中心軸である第３中心軸Ｃ３と位置決め用ベルト３０の第２中心軸Ｃ２とが同軸上に位置するように第２のパッド用ベルト８０と位置決め用ベルト３０とを連結できる。第２のパッド用ベルト８０にはパッド用ベルト２０と同様に山部Ｐ３が設けられている。山部Ｐ３および位置決め用ベルト３０の谷部Ｐ２は、第３中心軸Ｃ３と第２中心軸Ｃ２との位置を合わせるための目印として利用できる。
【００５７】
・連結部４０の構成は任意に変更可能である。図１５は第２実施形態の連結部４０の変形例を示す。この変形例に関する内容は第１実施形態の連結部４０および図１４の変形例の第２の連結部９０にも準用できる。連結部４０は間隔目印４４をさらに備える。間隔目印４４は人体１００の高さ方向におけるパッド用ベルト２０と位置決め用ベルト３０との間隔を調整するための目印である。一例では、間隔目印４４は３種類の位置を示す目印Ｓ、目印Ｍ、および、目印Ｌにより構成される。各目印Ｓ、Ｍ、Ｌは第１連結部４１および第２連結部４２のそれぞれに設けられる。目印Ｍは標準的な体型のユーザのために表示される。目印Ｓは標準的な体型のユーザよりも臍と対象部位との間隔が狭いユーザのために表示される。目印Ｌは標準的な体型のユーザよりも臍と対象部位との間隔が広いユーザのために表示される。各目印Ｓ、Ｍ、Ｌは第１連結部４１と第２連結部４２との取り付け位置を合わせるためのラインと、そのラインに対応する体型を示すテキストにより構成される。間隔目印４４は各連結部４１、４２における他の部分とは色および形状等が異なることにより、ユーザが目印であることを容易に識別できるように構成されている。一例では、間隔目印４４は各連結部４１、４２における他の部分とは異なる色で印刷されたラインおよびテキストである。
【００５８】
臍と対象部位との位置関係は体型に応じて異なることがある。このため、位置決め用ベルト３０が人体１００に適切に巻き付けられた状態において、パッド用ベルト２０を人体１００に巻き付けた場合にパッド５０が対象部位に対して高さ方向にずれた人体１００の表面に接触することがある。この場合、連結部４０の結合部４３を分離し、パッド用ベルト２０の位置を調整する必要が生じる。間隔目印４４が設けられる上記変形例では、位置決め用ベルト３０が人体１００に巻き付けられる前に、ユーザの体型に適した位置で第１連結部４１と第２連結部４２とを連結できる。具体的には、第１連結部４１の各目印Ｓ、Ｍ、Ｌのいずれかのラインと、このラインと同じ種類の第２連結部４２のラインとが揃うように第１連結部４１と第２連結部４２とが連結される。この状態で位置決め用ベルト３０が人体１００に巻き付けられ、さらに、パッド用ベルト２０が人体１００に巻き付けられた場合、人体１００の高さ方向における対象部位に対するパッド５０の位置が正確な位置に決まりやすい。なお、位置決め用ベルト３０が人体１００に適切に巻き付けられた状態とは、例えば、右側の巻付用目印３４と左側の巻付用目印３４との中心に人体１００の臍が位置する。そして位置決め用ベルト３０が中腹部１１０および腰部１２０まわりに巻き付けられた状態である。
【００５９】
・巻付用目印３４の構成は任意に変更可能である。図１６は巻付用目印３４の変形例を示す。この巻付用目印３４は位置決め用ベルト３０から突出したタブである。第１例では、位置決め用ベルト３０を構成する素材の一部に巻付用目印３４が含まれる。第２例では、位置決め用ベルト３０とは別に構成された巻付用目印３４が位置決め用ベルト３０に取り付けられる。
【００６０】
・位置決め用ベルト３０の構成は任意に変更可能である。一例では、位置決め用ベルト３０は高さ目印をさらに備える。高さ目印は人体１００の高さ方向における人体１００に対する位置を合わせるための目印である。高さ目印は位置決め用ベルト３０における他の部分とは色および形状等が異なることにより、ユーザが目印であることを容易に識別できるように構成されている。一例では、高さ目印は位置決め用ベルト３０における他の部分とは異なる色で印刷されたラインである。高さ目印を合わせる人体１００の部位である目標部位は任意に選択できる。目標部位の一例は臍または腰骨である。高さ目印が設けられる上記変形例では、右側の巻付用目印３４と左側の巻付用目印３４との中心に人体１００の臍が位置し、さらに、高さ目印が目標部位の高さと合うように位置決め用ベルト３０を中腹部１１０および腰部１２０まわりに巻き付けることができる。この場合、人体１００の高さ方向における対象部位に対するパッド５０の位置が正確な位置に決まりやすい。目標部位が臍に決められている場合、巻付用目印３４および高さ目印の２つにより臍に対する位置決め用ベルト３０の位置を確認できる。目標部位が腰骨に決められている場合、位置決め用ベルト３０により仙腸関節の緩みが固定される効果が期待できる。すなわち、位置決め用ベルト３０に骨盤ベルトの機能を持たせることができる。
【００６１】
・ベルト１０の構成は任意に変更可能である。一例では、ベルト１０は各ベルト２０、３０を装着したユーザの行動をセンシングするセンサ、および、センサの検出結果に応じてパッド５０の出力を制御する制御部をさらに備える。センサの一例は加速度センサである。制御部はプロセッサを含むコントロールユニットである。一例では、センサは位置決め用ベルト３０に取り付けられる。位置決め用ベルト３０が人体１００に適切に巻き付けられた状態では、人体１００に対するセンサの位置が適切な位置に決められる。このため、ユーザの行動に関するセンシングの精度が高められる。制御部が設けられる部位は例えばパッド用ベルト２０、位置決め用ベルト３０、または、コントローラ６０である。
【００６２】
制御部はセンサの検出結果に応じて例えば次のような制御を実行する。第１制御では、センサの検出結果から推定されるユーザの行動に応じてパッド５０の出力をオンおよびオフする。具体的には、ユーザの行動が歩行である場合、歩行の周期に応じてパッド５０の出力をオンおよびオフする。第２制御では、ユーザの行動の種類に応じて、パッド５０から出力される電流のパターンを変更する。電流のパターンは例えば１周期における電流の強さの変化を規定する。具体的には、ユーザの行動が歩行である場合には歩行を補助するようなパターンで電流を出力し、ユーザの行動が静止である場合には対象部位の筋肉の鍛錬効果を強めるパターンで電流を出力する。
【符号の説明】
【００６３】
１    ：電気刺激装置
１０  ：ベルト
１１  ：第１要素
１１Ａ：第１長手辺
１１Ｂ：第２長手辺
１１Ｃ：第１短手辺
１１Ｄ：第１タブ辺
１１Ｅ：第２タブ辺
１２  ：第２要素
１２Ａ：第１長手辺
１２Ｂ：第２長手辺
１２Ｃ：第１短手辺
１２Ｄ：第１タブ辺
１２Ｅ：第２タブ辺
１３  ：第１パッドユニット
１４  ：第２パッドユニット
２０  ：パッド用ベルト
２０Ａ：内側面
２０Ｂ：外側面
２１  ：第１端部
２２  ：第２端部
２３  ：中間部
２４  ：結合部
２４Ａ：ループ
２４Ｂ：フック
２５  ：パッド保持部
２５Ａ：第１パッド保持部
２５Ｂ：第２パッド保持部
２６  ：パッド用目印
３０  ：位置決め用ベルト
３０Ａ：内側面
３０Ｂ：外側面
３１  ：第１端部
３２  ：第２端部
３３  ：結合部
３３Ａ：ループ
３３Ｂ：フック
３４  ：巻付用目印
４０  ：連結部
４１  ：第１連結部
４２  ：第２連結部
４３  ：結合部
４３Ａ：ループ
４３Ｂ：フック
４４  ：間隔目印
５０  ：パッド
５１  ：背面パッド
５２  ：正面パッド
６０  ：コントローラ
７０  ：電源ユニット
７１  ：電線
７２  ：コネクタ
８０  ：第２のパッド用ベルト
８１  ：パッド
８２  ：パッド保持部
９０  ：第２の連結部
１００：人体
１０１：正中線
１１０：中腹部
１１１：前腹部
１２０：腰部
Ｃ１  ：第１中心軸
Ｃ２  ：第２中心軸
Ｃ３  ：第３中心軸
Ｐ１  ：山部
Ｐ２  ：谷部
Ｐ３  ：山部
【図１】
2019083855.tif 000003
【図２】
2019083855.tif 000004
【図３】
2019083855.tif 000005
【図４】
2019083855.tif 000006
【図５】
2019083855.tif 000007
【図６】
2019083855.tif 000008
【図７】
2019083855.tif 000009
【図８】
2019083855.tif 000010
【図９】
2019083855.tif 000011
【図１０】
2019083855.tif 000012
【図１１】
2019083855.tif 000013
【図１２】
2019083855.tif 000014
【図１３】
2019083855.tif 000015
【図１４】
2019083855.tif 000016
【図１５】
2019083855.tif 000017
【図１６】
2019083855.tif 000018